【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
容器の蓋（２）であって、
蓋面（１０）を備え、前記蓋面（１０）は、上部側および底部側と、周方向端縁（６）と、少なくとも１つの完全にまたは部分的に周方向の裂け目輪郭（２０）によって制限される、流出口のための領域（１２）とを有し、前記容器の蓋（２）はさらに、
持ち上げ式タブ（１４）を備え、前記持ち上げ式タブ（１４）は、リベットの形態の締結手段（２４）によって、前記蓋面（１０）の前記上部側に取付けられ、前記領域（１２）を少なくとも部分的に開くことで前記流出口を形成するためのものであり、第１の端部セクション（１６）および反対側の第２の端部セクション（１８）を有し、前記締結手段を中心として開き位置に移動させることができるか、または、開き位置に設けられ、
前記第１の端部セクション（１６）は、前記流出口のための前記領域（１２）の一部と少なくとも部分的に重なるようにされることができるか、または、少なくとも部分的に重なっており、前記第２の端部セクション（１８）は、前記第１の端部セクション（１６）に対して前記締結手段（２４）を越えて前記蓋面（１０）の前記上部側から第１の間隔のところに設けられ、
前記蓋面（１０）は、前記蓋面から突き出るおよび／または前記蓋面に突き出る少なくとも１つの第１のロッキング要素（３８）を備え、
前記持ち上げ式タブ（１４）は、少なくとも１つの第２のロッキング要素（４０）を備え、前記第２のロッキング要素（４０）は、たとえ前記第１の間隔よりも大きな前記蓋面（１０）からの第２の間隔に前記第２の端部セクション（１８）を移動させたとしても、前記締結手段（２４）を中心とした前記持ち上げ式タブ（１４）の回動を防止できるまたは防止するように、前記第１のロッキング要素（３８）と相互作用し、
前記第１および第２のロッキング要素（３８，４０）は、後者が前記開き位置にある場合には、前記締結手段（２４）から前記持ち上げ式タブ（１４）の前記第２の端部セクション（１８）の方に延びており、
前記第１のロッキング要素（３８）は、前記端縁（６）の方に延びており、
前記締結手段（２４）は、前記締結手段（２４）の回動を防止できるまたは防止するような態様で少なくとも１つの第１のロッキング手段（３８）および／または少なくとも１つの第２のロッキング手段（４０）と相互作用するように設計される、容器の蓋（２）。
【請求項２】
前記締結手段は、前記蓋面の前記上部側に、前記蓋面の一体型の部分として形成されることを特徴とする、請求項１に記載の容器の蓋（２）。
【請求項３】
前記第１および第２のロッキング要素の相互作用は、前記第１および第２のロッキング要素（３８，４０）を形状および／またはサイズの点で適合させて、互いに係合させ、前記締結手段（２４）を中心とした前記持ち上げ式タブ（１４）の回動を防止することを含むことを特徴とする、請求項１または２に記載の容器の蓋（２）。
【請求項４】
前記持ち上げ式タブ（１４）は、前記締結手段（２４）を用いて、前記持ち上げ式タブ（１４）を前記蓋面（１０）に保持する保持要素（２６）を含むことを特徴とする、請求項１から３のいずれか１項に記載の容器の蓋（２）。
【請求項５】
前記第２のロッキング要素（４０）は前記保持要素（２６）に設けられることを特徴とする、請求項４に記載の容器の蓋（２）。
【請求項６】
前記第２のロッキング要素（４０）は、前記蓋面（１０）の前記底部側の方への窪みとして形成される第１の適合ロッキング要素（３８）と係合する、前記蓋面（１０）の方への窪みを示しまたは含み、および／または、前記第２および前記第１のロッキング要素（４０，３８）は、前記領域（１２）から離れる方向に延びていることを特徴とする、請求項１から５のいずれか１項に記載の容器の蓋（２）。
【請求項７】
前記持ち上げ式タブ（１４）が、少なくとも２つ、３つまたは４つの第２のロッキング要素（４０）を備え、および／または、前記蓋面（１０）が、少なくとも２つ、３つまたは４つの第１のロッキング要素（３８）を備え、前記少なくとも２つ、３つまたは４つの第１および第２のロッキング要素（３８，４０）は、それらの位置ならびに任意にそれらの形状および／またはサイズに関して適合しており、好ましくは係合していることを特徴とする、請求項１から６のいずれか１項に記載の容器の蓋（２）。
【請求項８】
前記第１および／または第２のロッキング要素（３８，４０）は、前記締結手段（２４）および前記持ち上げ式タブ（４０）の前記第２の端部セクション（１８）の領域に設けられることを特徴とする、請求項１から７のいずれか１項に記載の容器の蓋（２）。
【請求項９】
飲料缶のための蓋であることを特徴とする、請求項１から８のいずれか１項に記載の容器の蓋（２）。
【請求項１０】
２つまたは３つの第１のロッキング要素（３８）は、前記締結手段（２４）から前記端縁（６）の方に径方向に延びていることを特徴とする、請求項１から９のいずれか１項に記載の容器の蓋（２）。
【請求項１１】
前記締結手段（２４）は、少なくとも１つの第１のロッキング要素（３８）および少なくとも１つの第２のロッキング要素（４０）と係合して、その結果、前記締結手段（２４）のいかなる回動も防止できるまたは防止するように、その形状およびサイズに関して設計されることを特徴とする、請求項１から１０のいずれか１項に記載の容器の蓋（２）。
【請求項１２】
前記締結手段（２４）は、前記容器の蓋の前記端縁の方に延びるリベットであるかまたはリベットを含み、第１の適合ロッキング要素（３８）および第２の適合ロッキング要素（４０）と係合すると同時に、前記第１および第２のロッキング要素（３８，４０）が互いに係合することを特徴とする、請求項１から１１のいずれか１項に記載の容器の蓋（２）。
【請求項１３】
少なくとも１つのさらなる第１のロッキング要素（３８）および少なくとも１つのさらなる第２のロッキング要素（４０）との前記締結手段（２４）の係合なしに、前記少なくとも１つのさらなる第１のロッキング要素（３８）が前記少なくとも１つのさらなる第２のロッキング要素（４０）と係合することを特徴とする、請求項１２に記載の容器の蓋。
【請求項１４】
前記締結手段、前記第１のロッキング要素（３８）および前記第２のロッキング要素（
４０）は、前記蓋面の一体型の部分である前記締結手段のブランクを圧縮成形することによって得られたものであり、前記蓋面のセクションが前記第１のロッキング要素を形成し、前記持ち上げ式タブのセクションが前記第２のロッキング要素を形成していることを特徴とする、請求項１から１３のいずれか１項に記載の容器の蓋（２）。
【請求項１５】
容器本体（４）と、流体密封の態様で前記容器本体（４）と接合された請求項１から１４のいずれか１項に記載の容器の蓋（２）とを備える、容器（１）。
【請求項１６】
請求項１から１４のいずれか１項に係る容器のための容器の蓋（２）の製造方法であって、
蓋面（１０）を設けるステップを備え、前記蓋面（１０）は、上部側および底部側を有し、周方向端縁（６）を有し、少なくとも１つの完全にまたは部分的に周方向の裂け目輪郭（２０）によって制限される流出口のための領域（１２）と、前記蓋面の一体型の部分としての、その上部側のリベットブランクの形態の締結手段（２５）のブランクとを有し、前記方法はさらに、
前記締結手段（２５）の前記ブランクのためのアパーチャを有する持ち上げ式タブを設けるステップと、
第１の圧縮成形型に前記蓋面を挿入するステップと、
前記締結手段の前記ブランクが前記アパーチャを通るように前記蓋面にまたは前記蓋面上に前記持ち上げ式タブを配置するステップと、
前記蓋面および／または持ち上げ式タブを任意に位置決めするステップと、
前記締結手段の前記ブランクを含む前記蓋面および前記持ち上げ式タブを圧縮成形し、このようにして、前記蓋面に実質的に平行な寸法が前記持ち上げ式タブの前記アパーチャよりも大きなリベットヘッドを含むリベットを形成し、前記蓋面から突き出るおよび／または前記蓋面に突き出る少なくとも１つの第１のロッキング要素（３８）と、前記蓋面から突き出るおよび／または前記蓋面に突き出る少なくとも１つの第２のロッキング要素（４０）とを形成し、その結果、少なくとも１つの第１および少なくとも１つの第２のロッキング要素が互いに係合し、それによって前記リベットを中心とした前記持ち上げ式タブの回動を困難にするかまたは防止するステップとを備える、方法。
【請求項１７】
前記リベットは、それぞれ前記圧縮成形プロセスにおいて、前記第１または第２のロッキング要素を形成するプロセスにおいて、前記少なくとも１つの第１および少なくとも１つの第２のロッキング要素と少なくとも部分的に係合されることを特徴とする、請求項１６に記載の方法。
【請求項１８】
前記圧縮成形プロセスにおいて、少なくとも１つのさらなる第１のロッキング要素（３８）は、少なくとも１つのさらなる第２のロッキング要素（４０）と係合されることを特徴とする、請求項１７に記載の方法。